(57)【要約】  骨片を収集および処理するためのデバイス（１０）が開示される。デバイスは、チャンバ部材（１２）と、押圧部材（１４）と、取入ポート（１６）と、吸引ポート（１８）とを備える。圧縮面（２０）およびフィルタを支持するように構成されたフィルタ支持面（２２）が前記チャンバ部材および／または前記押圧部材によって画成される。取入ポートはチャンバ部材上および／または押圧部材上にあり、骨片を含む組成物を受け入れるように構成されている。吸引ポートはチャンバ部材上および／または押圧部材上にある。チャンバ部材および押圧部材は互いに回転結合されている。組成物は取入ポートを通して獲得され、圧縮面とフィルタ支持面との間に収集される。第１の方向におけるチャンバ部材および／または押圧部材への回転力の印加が圧縮面およびフィルタ支持面を連帯運動させ、組成物をそれらの間で圧縮し、組成物を凝縮し、濾過液を組成物からさらに除去する。
2021520933.tif 000002
【特許請求の範囲】
【請求項１】
骨片を収集および処理するためのデバイスであって、
容積を少なくとも部分的に画成するチャンバ部材と、
前記容積内に少なくとも部分的に配置された押圧部材と、
前記チャンバ部材および／または前記押圧部材によって画成された圧縮面と、
前記チャンバ部材および／または前記押圧部材によって画成され、フィルタを支持するように構成されたフィルタ支持面と、
前記チャンバ部材上および／または前記押圧部材上にあり、骨片を含む組成物を受け入れるように構成された取入ポートと、
前記チャンバ部材上および／または前記押圧部材上にあり、吸引源に結合されるように構成された吸引ポートと、を備え、
前記チャンバ部材および前記押圧部材が互いに回転結合されており、
前記組成物が前記取入ポートを通して獲得され、前記圧縮面と前記フィルタ支持面との間の前記容積内に収集され、第１の方向における前記チャンバ部材および／または前記押圧部材への回転力の印加が前記圧縮面および前記フィルタ支持面を連帯運動させ、前記組成物を前記圧縮面と前記フィルタ支持面との間で圧縮し、前記組成物を凝縮し、濾過液を前記組成物からさらに除去する、デバイス。
【請求項２】
前記第１の方向と反対の、第２の方向における前記チャンバ部材および／または前記押圧部材への回転力の印加が前記圧縮面および前記フィルタ支持面を互いに遠ざける、請求項１に記載のデバイス。
【請求項３】
前記第２の方向における前記チャンバ部材および／または前記押圧部材への回転力の印加が、前記チャンバ部材および前記押圧部材の切り離し、ならびに除去のための前記凝縮された組成物へのアクセスを可能にする、請求項２に記載のデバイス。
【請求項４】
前記チャンバ部材が柔軟部材をさらに含み、前記柔軟部材は柔軟材料を含み、前記圧縮面を画成する、請求項１から３のいずれか１項に記載のデバイス。
【請求項５】
前記柔軟材料がエラストマーを含む、請求項４に記載のデバイス。
【請求項６】
約１．７〜約０．０２５ｍｍのメッシュサイズを有するフィルタをさらに備える、請求項１から５のいずれか１項に記載のデバイス。
【請求項７】
前記チャンバ部材が円筒形であり、外面および内面を有するチャンバ端部、ならびに前記チャンバ端部から長手方向に延び、外周面および内周面を有するチャンバ側壁を有する、請求項１から６のいずれか１項に記載のデバイス。
【請求項８】
前記内面が前記圧縮面である、請求項７に記載のデバイス。
【請求項９】
前記チャンバ端部が前記側壁に動作可能に取り付けられており、蓋として機能し、前記組成物へのアクセスを可能にする、請求項７または８に記載のデバイス。
【請求項１０】
前記チャンバ端部および／または前記チャンバ側壁が実質的に透明である、請求項７から９のいずれか１項に記載のデバイス。
【請求項１１】
前記押圧部材が円筒形であり、外周面を有する押圧側壁を有する、請求項１から１０のいずれか１項に記載のデバイス。
【請求項１２】
前記チャンバ部材または前記押圧部材が、濾過液収集チャンバを画成し、複数の支持柱をその内部に含むフィルタ支持構造をさらに含み、前記支持構造が、フィルタを支持し、前記フィルタを通過する濾過液を含む濾過液の収集および除去を可能にするように構成されている、請求項１から１１のいずれか１項に記載のデバイス。
【請求項１３】
前記チャンバ部材の前記チャンバ側壁の前記内周面が、前記押圧部材の前記側壁の前記外周面と回転可能に係合するように形状設定されている、請求項７から１２のいずれか１項に記載のデバイス。
【請求項１４】
前記チャンバ側壁の前記内周面および前記押圧側壁の前記外周面が螺合している、請求項７から１２のいずれか１項に記載のデバイス。
【請求項１５】
前記チャンバ部材が前記取入ポートおよび前記吸引ポートを含むか、あるいは前記チャンバ部材が前記取入ポートを含み、前記押圧部材が前記吸引ポートを含む、請求項１から１４のいずれか１項に記載のデバイス。
【請求項１６】
吸引ポートおよび空隙空間を含むシュノーケルを含み、前記シュノーケルが前記吸引ポートと流体連通しており、代替の流体連通経路を介して濾過液を前記圧縮面と前記フィルタ表面との間から除去するように構成されている、請求項１から１５のいずれか１項に記載のデバイス。
【請求項１７】
骨片を収集および処理する際に使用するための外科用システムであって、
骨片を収集するように構成され、取入ホースと結合するように形状設定されている採取ツールと、
骨片を収集および処理するためのデバイスと、を備え、前記デバイスが、
容積を少なくとも部分的に画成するチャンバ部材と、
前記容積内に少なくとも部分的に配置された押圧部材と、
前記チャンバ部材および／または前記押圧部材によって画成された圧縮面と、
前記チャンバ部材および／または前記押圧部材によって画成され、フィルタを支持するように構成されたフィルタ支持面と、
前記チャンバ部材上および／または前記押圧部材上にあり、骨片を含む組成物を受け入れるように構成された取入ポートと、
前記チャンバ部材上および／または前記押圧部材上にあり、吸引源に結合されるように構成された吸引ポートと、を備え、
前記チャンバ部材および前記押圧部材が互いに回転結合されており、
前記組成物が前記取入ポートを通して獲得され、前記圧縮面と前記フィルタ支持面との間の前記容積内に収集され、前記チャンバ部材および／または前記押圧部材への第１の方向における回転力の印加が前記圧縮面および前記フィルタ支持面を連帯運動させ、前記組成物を前記圧縮面と前記フィルタ支持面との間で圧縮し、前記組成物を凝縮し、濾過液を前記組成物からさらに除去する、外科用システム。
【請求項１８】
前記第１の方向と反対の、第２の方向における前記チャンバ部材および／または前記押圧部材への回転力の印加が前記圧縮面および前記フィルタ支持面を互いに遠ざける、請求項１７に記載の外科用システム。
【請求項１９】
前記フィルタ支持面が取り外し可能フィルタカートリッジとしてさらに画成される、請求項１７または１８に記載の外科用システム。
【請求項２０】
前記チャンバ部材が円筒形であり、外面および内面を有するチャンバ端部、ならびに前記チャンバ端部から長手方向に延び、外周面および内周面を有するチャンバ側壁を有し、
前記押圧部材が円筒形であり、押圧端部、および外周面を有する押圧側壁を有し、
前記チャンバ側壁の前記内周面および前記押圧側壁の前記外周面が螺合している、請求項１７から１９のいずれか１項に記載の外科用システム。
【請求項２１】
骨片を収集および処理する方法であって、
デバイスを提供するステップであり、前記デバイスが、
容積を少なくとも部分的に画成するチャンバ部材と、
前記容積内に少なくとも部分的に配置された押圧部材と、
前記チャンバ部材および／または前記押圧部材によって画成された圧縮面と、
前記チャンバ部材および／または前記押圧部材によって画成され、フィルタを支持するように構成されたフィルタ支持面と、
前記チャンバ部材上および／または前記押圧部材上にあり、骨片を含む組成物を受け入れるように構成された取入ポートと、
前記チャンバ部材上および／または前記押圧部材上にあり、吸引源に結合されるように構成された吸引ポートと、を備え、
前記チャンバ部材および前記押圧部材が互いに回転結合されており、
前記組成物が前記取入ポートを通して獲得され、前記圧縮面と前記フィルタ支持面との間の前記容積内に収集され、前記チャンバ部材および／または前記押圧部材への第１の方向における回転力の印加が前記圧縮面および前記フィルタ支持面を連帯運動させ、前記組成物を前記圧縮面と前記フィルタ支持面との間で圧縮し、前記組成物を凝縮し、濾過液を前記組成物からさらに除去する、デバイスを提供するステップと、
前記取入ポートを通して骨片を含む前記組成物を獲得するステップと、
前記組成物を前記圧縮面と前記フィルタ支持面との間に収集するステップと、
回転力を前記チャンバ部材および／または前記押圧部材に第１の方向に印加し、前記組成物を前記圧縮面と前記フィルタ支持面との間で押圧し、前記組成物を凝縮し、濾過液を前記組成物からさらに除去するステップと、
前記凝縮された組成物を除去するステップと、
を含む、方法。
【請求項２２】
回転力を前記チャンバ部材および／または前記押圧部材に、前記第１の方向と反対の、第２の方向に印加し、前記圧縮面および前記フィルタ支持面を互いに遠ざけるステップをさらに含む、請求項２１に記載の方法。
【請求項２３】
回転力を前記チャンバ部材および／または前記押圧部材に、前記第１の方向と反対の、第２の方向に印加し、前記チャンバ部材および前記押圧部材を切り離し、前記凝縮された組成物へのアクセスを提供するステップをさらに含む、請求項２１または２２に記載の方法。
【請求項２４】
蓋を開放し、前記凝縮された組成物へのアクセスを提供するステップをさらに含む、請求項２１から２３のいずれか１項に記載の方法。
【請求項２５】
前記取入ポートを通して骨片を含む前記組成物を獲得する前記ステップ、および前記組成物を前記圧縮面と前記フィルタ支持面との間に収集する前記ステップが、第１の向きで遂行される、請求項２１から２４のいずれか１項に記載の方法。
【請求項２６】
前記デバイスを第１の向きから第２の向きへ反転させるステップをさらに含む、請求項２１から２５のいずれか１項に記載の方法。
【請求項２７】
前記デバイスを前記第２の向きで支持面と接触させ、凝縮された組成物を、前記圧縮面上に集積するよう、前記フィルタから分離するステップをさらに含む、請求項２１に記載の方法。
【請求項２８】
回転力を前記押圧部材に、前記第１の方向と反対の、第２の方向に印加し、前記チャンバ部材および前記押圧部材を切り離し、前記凝縮された組成物を前記圧縮面から除去するステップをさらに含む、請求項２６または２７に記載の方法。
【請求項２９】
前記フィルタ支持面が、取り外し可能フィルタカートリッジとしてさらに画成され、前記取り外し可能フィルタカートリッジを前記容積に挿入する、および／または前記容積から取り外すステップをさらに含む、請求項２１から２８のいずれか１項に記載の方法。
【請求項３０】
骨片を収集および処理するためのデバイスであって、
容積を画成するよう動作可能に結合されたチャンバ部材および押圧部材と、
圧縮面を画成する柔軟部材を含み、前記容積内に移動可能に配置されている圧縮構成要素と、
骨片を含む組成物を受け入れるように構成された取入ポートと、
吸引源に結合されるように構成された吸引ポートと、
フィルタ構成要素と、を備え、
前記組成物が前記取入ポートを通して獲得され、前記容積内に収集され、前記チャンバ部材および／または前記押圧部材への力の印加が前記容積を減少させ、前記組成物を前記圧縮面に押し付け、前記組成物を凝縮し、前記フィルタ構成要素を通して濾過液を前記組成物からさらに除去する、デバイス。
【請求項３１】
前記柔軟材料がエラストマーを含む、請求項３０に記載のデバイス。
【請求項３２】
前記柔軟材料がシリコーンを含む、請求項３０または３１に記載のデバイス。
【請求項３３】
前記柔軟材料が、ＡＳＴＭ  Ｄ２２４０、ゴム特性−デュロメータ硬さの標準試験法に従って試験されたときに、約３０〜約６０のショアＡ硬さを有する、請求項３０から３２のいずれか１項に記載のデバイス。
【請求項３４】
前記圧縮面および前記フィルタ支持面が実質的に平行である、請求項３０から３３のいずれか１項に記載のデバイス。
【請求項３５】
前記チャンバ部材および前記押圧部材が互いに回転結合されている、請求項３０から３４のいずれか１項に記載のデバイス。
【請求項３６】
前記フィルタ支持面が取り外し可能フィルタカートリッジとしてさらに画成される、請求項３０から３５のいずれか１項に記載のデバイス。
【発明の詳細な説明】
【背景技術】
【０００１】
従来の医療および外科処置は、外科医が骨を除去することを可能にするシステムおよびツールの使用を日常的に伴う。このようなシステムは、しばしば、（多くの場合、ドリルによって）骨片を発生させる。除去されると、集合的に骨移植片と呼ばれる骨片は、再利用することができる。実際に、骨移植片は、骨区分の間の間隙を埋め、骨の成長のための自然の土台を提供するために用いることができるため、様々な外科処置においてとりわけ有用である。
【０００２】
外科処置によっては、骨片は、当然のように、必然的に発生し、採取され、全て同じ処置において骨移植片として用いられる。例えば、脊椎の処置（例えば、椎間板切除）は、様々な脊椎の骨の穿孔および除去、ならびに骨移植片のその後の利用を必要とする。別の例として、関節再建および修正処置は、様々な骨の穿孔および除去、ならびに骨移植片のその後の利用を必要とする。
【０００３】
他の外科処置では、骨片は、骨移植片を必要とする処置における利用のために、時として、身体の別の区域内の骨から、意図的に採取され得る。さらに別の処置では、別の患者、死体、豚、またはさらに、骨合成材料からの骨を含む骨移植片を用いることができる。自然骨、特に、患者から同じ患者に利用するために採取された骨（時として自己移植片と呼ばれる）を含む骨移植片は、その骨伝導、骨誘導、および骨形成特性のゆえに、外科医に好まれる。
【０００４】
骨収集および処理システムは、それらの意図された使用のために概ねうまく機能しているが、骨片の回収を最大化し、骨片を滅菌的および効率的な仕方で処理する必要性が残されている。
【発明の概要】
【０００５】
本明細書において開示される実施例の利点は、次の説明を添付の図面に関連して読む結果、より深く理解されるため、容易に理解されるであろう。
【図面の簡単な説明】
【０００６】
【図１】チャンバ部材および押圧部材が互いに回転結合された状態で示された、一実施例に係る骨片を収集および処理するためのデバイスの側面図である。
【図２】チャンバ部材が押圧部材から切り離された状態で示された、図１のデバイスの斜視図である。
【図３】チャンバ部材が押圧部材から切り離された状態で示されており、チャンバ部材の一部分が透明に示され、これにより、押圧側壁の外周面上のねじ筋と協働してチャンバ部材および押圧部材を回転結合させる、チャンバ部材のチャンバ側壁の内周面上のねじ筋が視認可能である、図１のデバイスの部分分解側面図である。
【図４】チャンバ部材の圧縮面支持構造が、圧縮面を画成する柔軟材料を上に含む柔軟部材を用いて隔離された状態で示された、図１のデバイスの部分分解側面図である。
【図５】グリップタブを含む土台要素を示す図１のデバイスの下面斜視図である。
【図６】図５のＡ−Ａに沿って見た断面図である。
【図７】チャンバ端部、フィルタ表面支持構造、および土台要素の安定タブのグリップパッドを隔離した、図５のデバイスの分解側面図である。
【図８】組成物が、取入ポートを通してデバイス内へ、および圧縮面と、フィルタを上に有するフィルタ支持面との間の容積内へ吸い込まれ、濾過液がフィルタを通して吸引ポート外へ吸い出される、流体連通経路を示す、Ａ−Ａに沿って見た図５のデバイスの断面図の概略図である。
【図９】第１の方向におけるチャンバ部材への回転力の印加、ならびに圧縮面およびフィルタ支持面のその後の連帯運動（破線を用いて想像線で示されている）、ならびにそれらの間の組成物の圧縮による凝縮、および組成物からの濾過液（液体）成分のさらなる除去をさらに示す、Ａ−Ａに沿って見た図５のデバイスの断面図の概略図である。
【図１０】チャンバ部材および押圧部材が互いに回転結合された状態で示された、骨片を収集および処理するためのデバイスの別の実施例の斜視図である。
【図１１】互いに離間配置された、チャンバ部材のチャンバ側壁上に配置された取入ポートおよび吸引ポートを含むチャンバ部材を示す図１０のデバイスの側面図である。
【図１２】Ｂ−Ｂに沿って見た、図１１に示されるとおりのデバイスの側面図に適用される図１０のデバイスの断面図である。
【図１３】チャンバ部材が押圧部材から切り離された状態の、図１０のデバイスの側面図である。
【図１４】Ｂ−Ｂに沿って見た、図１３に示されるデバイスの側面図に適用される図１０のデバイスの断面図である。
【図１５】圧縮面を画成する押圧部材の圧縮面支持構造を隔離する図１０のデバイスの分解図である。
【図１６】Ｂ−Ｂに沿って見た、圧縮面を規定する押圧部材の圧縮面支持構造を隔離する図１５に示されるデバイスの分解図に適用される図１０のデバイスの断面図である。
【図１７】図１０のデバイスの実施例の使用を説明する例示的な概略図である。
【図１８】主題の開示の方法を大まかに説明するフロー図である。
【図１９】主題の開示の方法の特定の実施例を示すフロー図である。
【図２０】使用中にデバイスを第１の向きから第２の向きへ反転するステップを含む主題の開示の方法の別の実施例を説明するフロー図である。
【図２１】デバイスを含むシステムを説明するフロー図である。
【発明を実施するための形態】
【０００７】
同様の符号が、いくつかの図全体を通して同様の構造を指定するために用いられている図面を参照すると、図１に、骨片を収集および処理するためのデバイス（「デバイス」）が１０において示されている。主題の開示のデバイス１０は、様々な種類の医療および／または外科処置に関連して骨片を収集および処理するように構成されている。より具体的には、デバイス１０は、患者からの骨片ＣＢＦおよび他の成分を含む組成物（「組成物ＣＢＦ」）を処理および収集するように構成されている。用語、骨片は、本明細書で使用する時、それらの形態、例えば、骨、幹細胞および前駆細胞などの組織等にかかわらず、全ての骨成分を包含するよう広義に解釈されることが意図される。処理されると、組成物ＣＢＦは通例、骨移植片を形成するために用いられる。
【０００８】
追加的な態様では、主題の開示は、組成物ＣＢＦの収集および処理に用いるための、図２１に大まかに示された、システムをさらに提供する。システムは、組成物ＣＢＦを採取するように構成されており、取入ホース２５０と結合するように形状設定された採取ツール２００を含む。例によっては、システムはまた、骨片を発生させる、例えば、骨を研削する、切断する、削ぐ、または研磨することで骨片（細骨片、骨粒）を生じさせるように構成された外科用ツール３００を備える。例によっては、システムは、骨片を発生させること、および組成物ＣＢＦを採取する、すなわち、吸い込むことの両方を行うように構成された外科用ツール３００を含む。システムはまた、組成物ＣＢＦが、骨片を収集および処理するために、採取ツール２００（または外科用ツール３００）からデバイス１０へ運ばれる取入ホース２５０を含む。典型的な例では、組成物ＣＢＦは、採取ツール２００を用いて患者から吸い込まれ、これにより、吸い込まれた組成物ＣＢＦはデバイス１０内に収集される。
【０００９】
概要として、デバイス１０の代表例が図１〜図１７Ａ〜Ｄ全体を通じて示されており、チャンバ部材１２と、押圧部材１４と、取入ポート１６と、吸引ポート１８とを含む（例えば、図１および図２）。フィルタ支持面２２（図２および図３に示される）が、フィルタ２４を支持し、圧縮面２０（図３に示される）と協働するように構成されている。フィルタ支持面２２（図２および図３に示される）は、フィルタ２４を支持するように構成されているが、それは、通例、フィルタを通ってデバイス１０から出ていく流体流動を可能にする開口部または同様のものを含む。フィルタ支持面２２および圧縮面２０はチャンバ部材および／または押圧部材１２、１４によって画成される。例えば、図１〜図９では、フィルタ支持面２２は押圧部材１４によって画成され、図１０〜図１７Ａ〜Ｄでは、フィルタ支持面１２２はチャンバ部材１１２によって画成される。例えば、図１〜図９では、圧縮面２０はチャンバ部材１２によって画成され、図１０〜図１７Ａ〜Ｄでは、圧縮面１２０はチャンバ部材１１２によって画成される。取入ポート１６はチャンバ部材１２上にあるが、押圧部材１４上に配置することもできる。取入ポート１６は、組成物ＣＢＦを受け入れるように構成されている。吸引ポート１８はチャンバ部材１２上に示されており、吸引源に結合されるように構成されている。吸引ポート１８はまた、押圧部材１４の部分として含まれ得る。
【００１０】
チャンバ部材１２および押圧部材１４は、互いの間の相対軸方向運動を生じさせるよう、互いに回転結合されている。組成物ＣＢＦは取入ポート１６を通して獲得され、圧縮面２０とフィルタ支持面２２との間の、より詳細には、圧縮面２０とフィルタ支持面２２との間の容積Ｖ内に収集される。次に図９を参照すると、第１の方向における押圧部材１４への回転力ＲＦＤ１の印加が圧縮面２０およびフィルタ支持面２２を連帯運動させ、組成物ＣＢＦをそれらの間で圧縮し、組成物ＣＢＦを凝縮し、濾過液（液体）成分を組成物ＣＢＦからさらに除去する。直前に説明された第１の方向と反対の方向におけるチャンバ部材１２への回転力の印加もまた、圧縮面２０およびフィルタ支持面２２を連帯運動させ、組成物ＣＢＦをそれらの間で圧縮し、組成物ＣＢＦを凝縮し、濾過液（液体）成分を組成物ＣＢＦからさらに除去することを理解されたい。
【００１１】
本明細書において説明されるように、第１の方向における回転力の印加への言及は、概して、圧縮面２０およびフィルタ支持面２２を互いに接近させる、締め付ける動きを表し、第１の方向と反対の、第２の方向における回転力の印加は、概して、圧縮面２０およびフィルタ支持面２２を互いに遠ざけ、例によっては、部材１２、１４を係合解除さえし得る、緩める動きを表す。この目的を達成するために、これらの方向用語が使用される時には、これらの方向は、特定の向きにおける特定の部材へ力の印加を適用することを理解されたい。
【００１２】
次に図１を参照すると、チャンバ部材が１２において示され、押圧部材が１４において示された、デバイス１０の第１の実施例の側面図が示されている。図１〜図９全体を通じて示される、図１の実施例では、チャンバ部材１２は取入ポート１６および吸引ポート１８を含む。
【００１３】
図２は、押圧部材１４から切り離されたチャンバ部材１２の斜視図である。図２〜図９に示されるように、チャンバ部材１２および押圧部材１４は互いに回転結合され得る。それゆえ、特定の構成では、チャンバ部材１２は円筒形であり得、共同で容積Ｖを少なくとも部分的に画成するチャンバ端部２６およびチャンバ側壁３２を有する。チャンバ端部２６は外面２８および内面３０を有する。例によっては、チャンバ端部２６はチャンバ側壁３２に取り外し可能に取り付けられており、蓋として機能し、チャンバ部材１２および押圧部材１４を切り離さずに組成物ＣＢＦへのアクセスを可能にする。特定の例では、チャンバ最上部はチャンバ側壁３２に固定され得る。チャンバ側壁３２は外周面３４および内周面３６を有する。
【００１４】
図３は、チャンバ部材１２が押圧部材１４から切り離されており、チャンバ端部２６がチャンバ側壁３２から切り離された状態で示された、デバイス１０の部分分解側面図である。図３において、チャンバ端部２６は結合機構を用いてチャンバ側壁３２に動作可能に取り付けられている。結合機構は様々な形態を取り得るが、図示の例では、結合機構は、チャンバ端部２６の外周上に配置されたタブ５６を含み、各タブは、係合溝を画成する内面（図示せず）を有し、および係合溝と係合するように形状設定されたチャンバ側壁３２の外周面３４上の（２つの）係合突起（図示せず）。
【００１５】
図示のように、チャンバ側壁３２は鉛直軸Ａｖに沿ってチャンバ端部２６から長手方向に延び、外周面３４および内周面３６を有する。例によっては、チャンバ端部２６および／またはチャンバ側壁３２は、圧縮面２０とフィルタ支持面２２との間に収集された組成物ＣＢＦがデバイス１０のユーザによって視覚的に監視され得るよう、実質的に透明である。
【００１６】
チャンバ部材１２および押圧部材１４はピストン／シリンダ構成のように機能し、以下においてより詳細に説明されるように、組成物ＣＢＦを圧縮面２０とフィルタ支持面２２との間で圧縮する。さらに、典型的な例では、圧縮面２０およびフィルタ支持面２２は実質的に平行である。以上において開示されたように、チャンバ部材１２が圧縮面２０を画成する。例によっては、チャンバ部材１２のチャンバ端部２６の内面３０が圧縮面２０を画成する。他の例では、チャンバ部材１２は、チャンバ部材１２のチャンバ側壁３２の内周面３６に動作可能に取り付けられており、柔軟部材５０を支持する圧縮面支持構造４８を含む。
【００１７】
図４は、チャンバ部材１２の圧縮面支持構造４８が、圧縮面２０を画成するその上の柔軟部材５０を用いて隔離された状態で示された、デバイス１０の部分分解側面図である。すなわち、例によっては、チャンバ部材１２は、圧縮面２０を画成する柔軟部材５０をさらに含む。
【００１８】
柔軟部材５０は、柔軟材料、通例、ポリマーを含み、それから本質的に成り、またはそれから成り、圧縮面２０およびフィルタ支持面２２を、組成物ＣＢＦがそれらの間にある状態で連帯運動させるために回転力がチャンバ部材および／または押圧部材１２、１４に第１の方向ＲＦＤ１に印加された時に、不規則な形状をしばしば有する骨片が圧縮力の低下を生じさせないよう、組成物ＣＢＦへの力の一貫した印加を可能にする。それゆえ、組成物ＣＢＦは圧縮および濾過され、一貫した品質の均質な生成物を提供する。
【００１９】
柔軟部材５０は、通例、柔軟材料、通例、ポリマーを含み、それから本質的に成り、またはそれから成り、圧縮面２０およびフィルタ支持面２２を、組成物ＣＢＦがそれらの間にある状態で連帯運動させるために回転力がチャンバ部材および／または押圧部材１２、１４に第１の方向ＲＦＤ１に印加された時に、不規則な形状をしばしば有する骨片が圧縮力の低下を生じさせないよう、組成物ＣＢＦへの力の一貫した印加を可能にする。
【００２０】
柔軟材料は、通例、１種または複数のポリマーを含む。例によっては、柔軟材料は、エラストマー、熱可塑性物質、熱可塑性エラストマー、およびこれらの組み合わせから選択される。
【００２１】
好適なエラストマーの様々な非限定例としては、天然ゴム（天然ポリイソプレン）、合成ポリイソプレン、ポリブタジエン、クロロプレンゴム、ブチルゴム、ハロゲン化ブチルゴム、スチレン−ブタジエンゴム、ニトリルゴム、エチレンプロピレンゴム、エチレンプロピレンジエンゴム、エピクロロヒドリンゴム、ポリアクリルゴム、シリコーンゴム、フルオロシリコーンゴム、フルオロエラストマー、ペルフルオロエラストマー、ポリエーテルブロックアミド、クロロスルホン化ポリエチレン、およびエチレン酢酸ビニルが挙げられる。好ましい例では、柔軟材料はシリコーンを含む。
【００２２】
好適な熱可塑性物質および熱可塑性エラストマーの様々な非限定例としては、ポリオレフィン、ポリオレフィンエラストマー、ポリ塩化ビニル（ＰＶＣ）、ポリアミド（ＰＡ）、スチレン系エラストマー、動的架橋型熱可塑性エラストマー（ＴＰＶ）、フルオロポリマー、シリコーン、ポリエステル、ポリオキシメチレン（ＰＯＭ）、熱可塑性ポリウレタン（ＴＰＵ）、およびこれらの組み合わせが挙げられる。いくつかの好ましい例では、ポリマーは、熱可塑性ポリウレタン、ポリオキシメチレン、ポリアルキレンテレフタレート、およびこれらの組み合わせから選択される。
【００２３】
例によっては、柔軟材料は、限定するものではないが、ＡＳＴＭ  Ｄ２２４０、ゴム特性−デュロメータ硬さの標準試験法に従って試験されたときに、約３０〜約６０、または約３５〜約５０のショアＡ硬さを有する、直前に説明されたものなどの、ポリマーを含む。様々な非限定例では、上述の値の間の全ての値および値の範囲が本明細書において明示的に企図されている。
【００２４】
以上において定義されたショアＡ硬さ特性などの、柔軟材料の弾性変形特性は、一貫した品質の均質な生成物を提供するよう圧縮および濾過される組成物ＣＢＦに一貫した均一な力が印加されることを確実にする。
【００２５】
図には具体的に示されていないが、本明細書において企図されている例では、柔軟部材５０は柔軟材料を含み、圧縮面２０およびフィルタ支持面２２を、組成物ＣＢＦがそれらの間にある状態で連帯運動させるために回転力がチャンバ部材および／または押圧部材１２、１４に第１の方向ＲＦＤ１に印加された時に、しぼむことができる空洞を含む。それゆえ、一貫した品質の均質な生成物を提供するよう圧縮および濾過される組成物ＣＢＦに一貫した均一な力が印加される。
【００２６】
図１または図１０を参照すると、典型的な例では、押圧部材１４は円筒形であるが、さらに他の形状も企図されている。押圧部材１４は、外周面４０および内周面４２を有する押圧側壁３８を含み得る。典型的な例では、押圧部材１４は容積Ｖをさらに画成し、濾過液収集チャンバＦＣを容積Ｖ内において少なくとも部分的に画成するフィルタ支持構造４４を含む。図全体を通して示される例では、フィルタ支持構造４４は複数の支持柱４６を含み、フィルタ２４を支持し、フィルタ２４を通過する液体（濾過液）の収集および除去を可能にするように構成されている。フィルタ支持構造４４の分離図が図７に示されている。換言すれば、フィルタ支持構造４４は、それを通した吸引を可能にするよう、透過性である。フィルタ支持構造４４は、フィルタ２４を支持するように配置されている。様々な例では、フィルタ支持構造４４は、フィルタ２４が固定され得る接点を構成する、柱、それぞれの部材の内周面の周縁リム等の形態の接点を含む。例によっては、ロック機構（図示せず）が、フィルタ２４をフィルタ支持構造４４内で固定するために用いられる。
【００２７】
図には具体的に示されていないが、本明細書において企図されている例では、フィルタ支持面２２はフィルタカートリッジによってさらに画成される。このような例では、フィルタカートリッジは、チャンバ部材１２および／または押圧部材１４に取り外し可能および／または動作可能に取り付けることができる。フィルタカートリッジはデバイス１０に取り外し可能に取り付けられている。フィルタカートリッジは使い捨て可能であるか、または再利用可能であることができる（例えば、オートクレーブを介して洗浄し、再利用することができる）。非限定例として、フィルタ支持面２２を画成し、フィルタ２４を含むフィルタカートリッジを、チャンバ側壁３２の内周面３６または押圧側壁３８の内周面４２上に形成された溝内または隆起線上に取り付けることができる。一例では、デバイス１０を使用し、その後、フィルタカートリッジを廃棄することができる。次に、デバイス１０を洗浄する、例えば、オートクレーブで処理することができ、新しい未使用のカートリッジをデバイス１０に取り付けることができ、次に、これを再び使用することができる。この目的を達成するために、方法は、フィルタカートリッジを容積Ｖに挿入し、および／または容積Ｖから取り外すステップをさらに含む。
【００２８】
チャンバ部材１２のチャンバ側壁３２の内周面３６は、押圧部材１４の押圧側壁３８の外周面４０と回転可能に係合するように形状設定されている。好ましい例では、チャンバ側壁３２の内周面３６および押圧側壁３８の外周面４０は螺合している（またはねじ係合している）。図１〜図９の実施例の螺合した側壁が、図２〜図９の様々な図全体を通して示されている。図３、図４、および図５では、チャンバ部材１２の側壁３２が透明に示されており、これにより、チャンバ部材１２および押圧部材１４を協働して回転結合させる、チャンバ部材１２のチャンバ側壁３２の内周面３６上のねじ筋３７および押圧側壁３８の外周面４０上のねじ筋４１が視認できる。
【００２９】
デバイス１０の様々な例は、代替的に取入部品１６と呼ぶことができる、少なくとも１つの取入ポート１６を含む。図８および図９に示されるように、取入ポート１６は孔１７を画成し、容積Ｖと流体連通しており、取入ポート１６は、組成物ＣＢＦを容積Ｖ内へ吸い込むための取入ホース２５０を受け入れるように適合されている。取入ポート１６の取入孔１７から、容積Ｖを通り、フィルタ２４を上に有するフィルタ支持面２２を横切り、吸引孔１９を画成し、代替的に排出部品１８と呼ぶことができる吸引ポート１８へ通り抜ける流体連通経路Ｐ１が確立される。図８は、取入ポート１６を通したデバイス１０内への、および圧縮面２０と、フィルタ２４を上に有するフィルタ支持面２２との間の容積Ｖ内への組成物ＣＢＦの取入、ならびにフィルタ２４を通して吸引ポート１８外へ吸い出される濾過液の除去をさらに示す、デバイス１０の断面図の概略図である。この目的を達成するために、デバイス１０は、流体連通経路Ｐ１にわたる吸引または吸い込みを介して機能する。
【００３０】
図８および図９に示されるように、組成物ＣＢＦは、取入ポート１６を通してデバイス１０内へ、および圧縮面２０と、フィルタ２４を上に有するフィルタ支持面２２との間の容積Ｖ内へ吸い込まれる。組成物ＣＢＦは、流体が流体連通経路Ｐ１を通して吸い込まれる間に、圧縮面２０とフィルタ支持面２２との間の容積Ｖ内に集積する。組成物ＣＢＦが流体連通経路Ｐ１を通して吸い込まれるにつれて、組成物ＣＢＦは容積Ｖ内においてフィルタ２４上に集積し、余分な流体は吸引ポート１８外へ吸い出される。
【００３１】
図５はデバイス１０の下面斜視図であり、図６は、組成物ＣＢＦが取入ポート１６を通してデバイス１０内へ、および圧縮面２０と、フィルタ２４を上に有するフィルタ支持面２２との間の容積Ｖ内へ吸い込まれ、濾過液がフィルタ２４を通して吸引ポート１８外へ吸い出される、流体連通経路Ｐ１を示す、図５のＡ−Ａに沿って見た断面図である。
【００３２】
さらに、図５はまた、１つまたは複数のグリップタブ６６および１つまたは複数のパッド６８を含む、任意選択的な土台要素６４を示す。土台要素６４は、使用中のデバイス１０を表面上において直立姿勢で安定させる。次に図６を参照すると、本例の押圧側壁３８はｏリング７２のための溝７０を画成する。図７は、土台要素６４のグリップタブ６６のパッド６８を隔離するデバイス１０の分解側面図である。
【００３３】
図６、図８、および図９を再び参照すると、例によっては、デバイス１０はシュノーケル５２を備える。特定の例では、シュノーケル５２は概ね管状の構造である。図１〜図９の例では、シュノーケル５２は孔５３を画成し、圧縮面２０の上方の吸引ポート５４を有し、吸引ポート１８および容積Ｖと流体連通している。シュノーケル５２は、代替の流体連通経路Ｐ２を介して濾過液を圧縮面２０とフィルタ支持面２２との間の組成物ＣＢＦから除去するように構成されている。一定量の組成物ＣＢＦが圧縮面２０とフィルタ支持面２２との間に蓄積し始めると、シュノーケル５２は第２の流体連通経路Ｐ２を提供する。例えば、組成物ＣＢＦが圧縮面２０とフィルタ支持面２２との間に蓄積し始め、これにより、フィルタ２４が詰まって流体連通経路Ｐ１を塞ぎ、シュノーケル５２が第２の流体連通経路Ｐ２を提供して詰まりを防止する。次に図１〜図９を参照すると、シュノーケル５２はチャンバ部材１２の一体構成要素として示されている。しかし、シュノーケル５２は別個の構成要素であってもよいことを理解されたい。図８および図９は、シュノーケル５２がチャンバ側壁３２上に位置付けられており、圧縮面２０およびフィルタ支持面２２と実質的に垂直であり、鉛直軸Ａｖと平行である態様を示す。しかし、他のシュノーケル構成も企図されている。
【００３４】
図２〜図４に示されるように、フィルタ２４は、通例、デバイス１０内で利用される。フィルタ２４は固定式であることができるか、またはフィルタ２４は使い捨て式であることができる。フィルタ２４は金属またはポリマーを含むことができる。一例では、フィルタ２４はステンレス鋼を含む。多くの例では、フィルタ２４は、約１２〜約５００（約１．６８〜約０．０２５ｍｍ）、または約５０〜約２７０（約０．２９７〜約０．０５３ｍｍ）の米国ふるいシリーズメッシュサイズを有する。
【００３５】
上述されたように、チャンバ部材１２のチャンバ側壁３２の内周面３６は、押圧部材１４の押圧側壁３８の外周面４０と回転可能に係合するように形状設定されており、例えば、チャンバ側壁３２の内周面３６および押圧側壁３８の外周面４０は螺合している（またはねじ係合している）。図８および図９に示されるように、組成物ＣＢＦは取入ポート１６を通して獲得され、圧縮面２０と、フィルタ２４を上に有するフィルタ支持面２２との間に収集される。組成物ＣＢＦが圧縮面２０とフィルタ支持面２２との間に収集されると、第１の方向ＲＦＤ１における押圧部材１４への回転力の印加が圧縮面２０およびフィルタ支持面２２を連帯運動させ、組成物ＣＢＦをそれらの間で圧縮し、組成物ＣＢＦをさらに濾過し、凝縮する。図９は、第１の方向ＲＦＤ１におけるチャンバ部材１２への回転力の印加、ならびに圧縮面２０およびフィルタ支持面２２のその後の連帯運動（矢印を用いて、および破線を用いて想像線で示された運動を有する）、ならびにそれらの間における組成物ＣＢＦの圧縮による、組成物ＣＢＦの凝縮、および組成物ＣＢＦからの濾過液（液体）成分のさらなる除去をさらに示す概略図である。
【００３６】
さらに、第１の方向ＲＦＤ１と反対の、第２の方向ＲＦＤ２におけるチャンバ部材および／または押圧部材１２、１４への回転力の印加が圧縮面２０およびフィルタ支持面２２を互いに遠ざける。例によっては、第２の方向ＲＦＤ２におけるチャンバ部材および／または押圧部材１２、１４への回転力の印加は、チャンバ部材１２および押圧部材１４の切り離し、ならびに除去のための凝縮された組成物ＣＢＦへのアクセスを可能にする。図２は、押圧部材１４から切り離されたチャンバ部材１２を示し、押圧側壁３８の外周面４０上のねじ筋４１が視認可能である。他の例では、チャンバ端部２６はチャンバ側壁３２に動作可能に取り付けられており、蓋として機能し、除去のための濾過および凝縮された組成物ＣＢＦへのアクセスを可能にする。
【００３７】
上述されたように、取入ポート１６は、骨片を含む組成物ＣＢＦを受け入れるように構成されており、吸引ポート１８はチャンバ１２上に示されており、吸引源に結合されるように構成されている。通例、ポート１６、１８は、使いやすさを促進するために、両方とも同じ部材１２、１４上に配置されることになる。図に示される例では、取入ポート１６および吸引ポート１８は両方ともチャンバ部材１２のチャンバ側壁３２上に互いに約１８０°離れて配置されている。取入ポートおよび吸引ポート１６、１８の場所は、（１）吸引ロスを最小限に抑え、（２）デバイス１０の動作の最中の作業の流れを支援する（例えば、取入ポート１６上の取入ホース２５０ならびに吸引ポート１８上の吸引および／または流体除去管路の取り付けのプロセスを促進する）と考えられる。図１〜図９では、取入ポート１６および吸引ポート１８は両方ともチャンバ部材１２上にある。図１０〜図１７Ａ〜Ｄでは、取入ポート１１６および吸引ポート１１８は両方ともチャンバ部材１１２上にある。両方のポート１６、１８が同じ部材上にあるときには、ユーザは、必然的に、ホースがそれに取り付けられていないそれぞれの部材１２、１４をひねる（それに力を印加する）ことになるため、取入ホース２５０および吸引／ドレインホースが使用中に絡まることがない。さらに、ポート１６、１８を有しない部材の（どちらかの部材１２、１４の）外周面は、その側壁の外周面３４、４０上にユーザのためのグリップ部を有するように構成することができる。例えば、図１〜図９のチャンバ部材１２上の土台要素６４は、チャンバ部材１２をひねるために用いることができるグリップタブ６６を含む。すなわち、グリップタブ６６は、デバイス１０の容易な使用を促進するための良好なグリップをユーザに提供する。別の例として、図１０〜図１７Ａ〜Ｄの押圧部材１１４の押圧側壁１３８の外周面１４０は、押圧部材１１４をひねるために用いることができるグリップ稜部１６６を含む。グリップ稜部１６６は、デバイス１１０の容易な使用を促進するための良好なグリップをユーザに提供する。
【００３８】
次に図１０〜図１７Ａ〜Ｄを参照すると、骨片を収集および処理するためのデバイス１１０の第２の実施例が示されている。本実施例のデバイス１１０は、チャンバ部材１１２と、押圧部材１１４と、取入ポート１１６と、吸引ポート１１８とを含む。本実施例では、チャンバ部材１１２は、フィルタ１２４を支持するように構成されたフィルタ支持面１２２を画成し、容積Ｖを少なくとも部分的に画成する。さらに、チャンバ部材１１２は、組成物ＣＢＦを受け入れるように構成された取入ポート１１６、および吸引源に結合されるように構成された吸引ポート１１８を含む。本実施例では、押圧部材１１４は圧縮面１２０を画成する。
【００３９】
この目的を達成するために、図１０〜図１７Ａ〜Ｄの実施例は、フィルタ支持面１２２を画成するチャンバ部材１１２、および圧縮面１２０を画成する押圧部材１１４を含み、それに対して、図１〜図９の実施例は、圧縮面２０を画成するチャンバ部材１２、およびフィルタ支持面２２を画成する押圧部材１４を含む。さらに、図１０〜図１７Ａ〜Ｄの実施例では、デバイス１１０は、チャンバ部材１１２が表面上に横たわり、押圧部材１１４がチャンバ部材１１２の上方にある状態で、直立して座するように示されており、それに対して、図１〜図９の実施例では、デバイス１０は、押圧部材１４が表面上に横たわり、チャンバ部材１２が押圧部材１４の上方にある状態で、直立姿勢で図示されている。
【００４０】
チャンバ部材１１２および押圧部材１１４は互いに回転結合されている。組成物ＣＢＦは取入ポート１１６を通して獲得され、圧縮面１２０とフィルタ支持面１２２との間に収集される。第１の方向ＲＦ１におけるチャンバ部材および／または押圧部材１１２、１１４への回転力の印加が圧縮面１２０およびフィルタ支持面１２２を連帯運動させ、組成物ＣＢＦをそれらの間で圧縮し、組成物ＣＢＦを凝縮し、濾過液（液体）成分を組成物ＣＢＦからさらに除去する。
【００４１】
図１０は、チャンバ部材１１２および押圧部材１１４が互いに回転結合された状態で示された、デバイス１１０の別の実施例の斜視図である。図１１は、チャンバ部材１１２のチャンバ側壁１３２上に互いに約１８０°離れて配置された取入ポート１１６および吸引ポート１１８を含むチャンバ部材１１２を示す図１０のデバイス１１０の側面図である。
【００４２】
図１２は、図１０のＢ−Ｂに沿って見た、図１１に示されるとおりのデバイス１１０の側面図に適用される図１０のデバイス１１０の断面図である。図１２は流体連通経路Ｐ１を示す。デバイス１１０が使用されている時には、組成物ＣＢＦは、取入ポート１１６を通してデバイス１１０内へ、および圧縮面１２０と、フィルタ１２４を上に有するフィルタ支持面１２２との間の容積Ｖ２内へ吸い込まれる。組成物ＣＢＦは、流体が流体連通経路Ｐ１を通して吸い込まれる間に、圧縮面１２０とフィルタ支持面１２２との間の容積Ｖ内に集積する。組成物ＣＢＦが流体連通経路Ｐ１を通して吸い込まれるにつれて、組成物ＣＢＦは容積Ｖ内においてフィルタ１２４上に集積し、余分な流体は吸引ポート１１８外へ吸い出される。
【００４３】
本例では、チャンバ部材１１２は円筒形であり、容積Ｖ２を共同で画成するチャンバ端部１２６およびチャンバ側壁１３２を有する。通例、図示のように、チャンバ部材１１２は円筒形である。チャンバ端部１２６は外面１２８および内面１３０を有する。チャンバ側壁１３２は外周面１３４および内周面１３６を有する。図１４は、容積Ｖ内に配置されたフィルタ支持面１２２およびフィルタ支持構造１４４を示す、図１０のＢ−Ｂに沿って見た、図１３に示されるデバイス１１０の側面図に適用される、図１０〜図１７Ａ〜Ｄのデバイス１１０の断面図である。フィルタ支持構造１４４は、フィルタ支持面１２２および濾過液収集チャンバＦＣを容積Ｖ内において画成する。本例では、フィルタ支持構造１４４は複数の支持柱１４６を含み、フィルタ１２４を支持し、フィルタ１２４を通過する液体（濾過液）の収集および除去を可能にするように構成されている。無論、様々な他の支持構造１４４の構成も企図されている。
【００４４】
本例では、押圧部材１１４は円筒形であり、外周面１４０および内周面１４２を有する押圧側壁１３８を有する。次に図１２を参照すると、本例の押圧側壁１３８はｏリング１７２のための溝１７０を画成し、螺合内面１７６を有し、螺合しているチャンバ部材１１２のチャンバ側壁１３２と係合および動作可能に結合するように形状設定された係合スリーブ１７４を含む。
【００４５】
なおも図１２を参照すると、チャンバ部材１１２のチャンバ側壁１３２の外周面１３４は、押圧部材１１４の押圧側壁１３８の外周面１４０と回転可能に係合するように形状設定されている。本例では、チャンバ側壁１３２の外周面１３４はねじ筋１３５を含み、押圧部材１１４の係合スリーブ１７４は、ねじ筋１７５を含む内面１７６を有し、それゆえ、互いに回転可能に係合するように形状設定されている。
【００４６】
図１３は、押圧部材１１４から切り離されたチャンバ部材１１２の側面図である。Ｂ−Ｂに沿って見た図１２のデバイス１１０の断面図である、図１４は、チャンバ側壁１３２の外周面１３４上のねじ筋１３５と協働して押圧部材１１４およびチャンバ部材１１２を回転結合させる、押圧部材１１４の係合スリーブ１７４の内面１７６上のねじ筋１７５を示す。
【００４７】
図１５は、圧縮面１２０を画成する押圧部材１１４の圧縮面支持構造１４８を隔離する図１０〜図１７Ａ〜Ｄのデバイス１１０の分解図である。様々な例において、圧縮面１２０はチャンバ端部１２６の内面１３０によって画成される（圧縮面支持構造１４８が存在しない）ことを理解されたい。また、いくつかの例は圧縮面支持構造１４８を含むことも理解されたい。最後に、また、例によっては、それが配置される構成要素とは無関係に、圧縮面１２０は、例によっては、柔軟部材５０、１５０によって画成されるが、他の例では、圧縮面１２０は柔軟部材５０、１５０によって画成される必要がないことも理解されたい。すなわち、例によっては、圧縮面１２０は熱可塑性または金属構成要素を介して画成することができるであろう。図１６は、図１０のＢ−Ｂに沿って見た、圧縮面１２０を画成する押圧部材１１４の圧縮面支持構造１４８を隔離する図１５に示されるデバイス１１０の分解図に適用される図１０〜図１７Ａ〜Ｄのデバイス１１０の断面図である。
【００４８】
図１７Ａ〜図１７Ｄは、図１０〜図１７Ａ〜Ｄのデバイス１１０の実施例の使用を説明する例示的な概略図である。図１７Ａにおいて、チャンバ部材１１２および押圧部材１１４は、互いに回転結合されているように示されている。図１７Ａにおいて、デバイス１１０が第１の向きになっている状態で、組成物ＣＢＦが取入ポート１１６を通して獲得され、圧縮面１２０とフィルタ支持面１２２との間に収集される。図１７Ｂでは、第１の方向ＲＦＤ１におけるチャンバ部材および／または押圧部材１１２、１１４への回転力の印加が圧縮面１２０およびフィルタ支持面１２２を連帯運動させ、組成物ＣＢＦをそれらの間で圧縮し、組成物ＣＢＦを凝縮し、濾過液（液体）を組成物ＣＢＦからさらに除去した後のデバイス１１０が示されている。図１７Ｃでは、第２の向きに「反転された」または反転させられたデバイス１１０が示されている。図１７Ｄでは、チャンバ部材および／または押圧部材１１２、１１４に、第１の方向ＲＦＤ１と反対の、第２の方向ＲＦＤ２に回転力を印加し、チャンバ部材１１２および押圧部材１１４を切り離した後の、凝縮された組成物ＣＢＦへのアクセスが（それが圧縮面１２０に座しているため）提供されたデバイス１１０が示されている。
【００４９】
主題の開示はまた、容積Ｖを画成するよう動作可能に結合されたチャンバ部材１１２および押圧部材１１４と、圧縮面１２０を画成する柔軟部材１５０を含む圧縮構成要素と、フィルタ支持面１２２またはフィルタ１２４を画成するフィルタ構成要素とを含むものとして大まかに説明される、骨片を収集および処理するためのデバイス１１０の実施例も企図しており、取入ポート１１６は、組成物ＣＢＦを受け入れるように構成されており、吸引ポート１１８は、吸引源に結合されるように構成されている。このような実施例では、組成物ＣＢＦが取入ポート１１６を通して獲得され、容積Ｖ２内に収集され、チャンバ部材および／または押圧部材１１２、１１４への力の印加が容積Ｖ２を減少させ、組成物ＣＢＦを圧縮面１２０に押し付け、組成物ＣＢＦを凝縮し、フィルタ構成要素を通して濾過液を組成物ＣＢＦからさらに除去する。しかし、これらの実施例では、チャンバ部材１１２および押圧部材１１４が、容積Ｖ２を画成するよう動作可能に結合されている。それゆえ、チャンバ部材１１２および押圧部材１１４は、回転結合されるか、または（例えば、プランジャを用いて）機械的に結合され得る。すなわち、チャンバ部材１１２および押圧部材１１４は必ずしも回転結合されない。これらの実施例は、それらが、上述されたのと同じである柔軟部材１５０を採用するため、有利である。
【００５０】
以上において示唆されたように、骨片を収集および処理する方法も本明細書において開示される。本方法は、上述されたデバイス１０を提供するステップと、取入ポート１６を通して組成物ＣＢＦを獲得するステップと、組成物ＣＢＦを圧縮面２０とフィルタ支持面２２との間に収集するステップと、回転力ＲＦＤ１をチャンバ部材および／または押圧部材１２、１４に印加し、組成物ＣＢＦを圧縮面２０とフィルタ支持面２２との間で押圧し、組成物ＣＢＦを凝縮し、濾過液を組成物ＣＢＦからさらに除去するステップと、凝縮された組成物ＣＢＦをデバイス１０から除去するステップと、を含む。図１８のフロー図に、本方法が大まかに説明されている。
【００５１】
本方法はまた、回転力ＲＦＤ２をチャンバ部材および／または押圧部材１２、１４に、第１の方向ＲＦＤ１と反対の、第２の方向に印加し、圧縮面２０およびフィルタ支持面２２を互いに遠ざけるステップを含み得る。さらに、本方法は、回転力をチャンバ部材および／または押圧部材１２、１４に、第１の方向ＲＦＤ１と反対の、第２の方向ＲＦＤ２に印加し、チャンバ部材および押圧部材１２、１４を切り離し、（例えば、除去のための）組成物ＣＢＦへのアクセスを提供するステップを含み得る。
【００５２】
例によっては、チャンバ部材および／または押圧部材１２、１４は、組成物ＣＢＦに（例えば、除去のために）アクセスするために切り離されなくてもよい。これらの例では、蓋（例えば、上述されたとおりのチャンバ端部２６）を開放し、その後、凝縮された組成物ＣＢＦを除去するステップが任意選択的に含まれる。蓋２６を開放するステップを含む本方法の一実施例が図１９において説明されている。
【００５３】
図１７Ａ〜Ｄおよび図２０において説明されるものなどの、本方法のいくつかの実施例では、本方法は、第１の向きで遂行される、取入ポート１１６を通して組成物ＣＢＦを獲得するステップと、組成物ＣＢＦを圧縮面１２０とフィルタ支持面１２２との間に収集するステップと、を含み得る。収集するステップに続いて、本実施例の方法は、デバイス１１０を第１の向きから第２の向きへ反転させるステップを含む。本実施例はまた、任意選択的に、デバイス１１０を第２の向きで表面と接触させ、凝縮された組成物ＣＢＦを、重力によってフィルタ支持面１２２から圧縮面１２０へ落下させるよう、フィルタ１２４から分離するステップを含む。無論、本方法は、チャンバ端部２６を開放するステップ、ならびに／あるいは回転力を押圧部材１１４に第２の方向ＲＦＤ２に印加し、凝縮された組成物ＣＢＦにアクセスし、および／または組成物ＣＢＦを圧縮面１２０から除去するステップを含むことができる。
【００５４】
補足開示Ｉ
１つの非限定例では、骨片を収集および処理するためのデバイスが、
容積を少なくとも部分的に画成するチャンバ部材と、
容積内に少なくとも部分的に配置された押圧部材と、
チャンバ部材および／または押圧部材によって画成された圧縮面と、
チャンバ部材および／または押圧部材によって画成され、フィルタを支持するように構成されたフィルタ支持面と、
チャンバ部材上および／または押圧部材上にあり、骨片を含む組成物を受け入れるように構成された取入ポートと、
チャンバ部材上および／または押圧部材上にあり、吸引源に結合されるように構成された吸引ポートと、
を備え、
チャンバ部材および押圧部材が互いに回転結合されており、
組成物が取入ポートを通して獲得され、圧縮面とフィルタ支持面との間の容積内に収集され、第１の方向におけるチャンバ部材および／または押圧部材への回転力の印加が圧縮面およびフィルタ支持面を連帯運動させ、組成物を圧縮面とフィルタ支持面との間で圧縮し、組成物を凝縮し、濾過液を組成物からさらに除去する。
【００５５】
いくつかのこのような例では、第１の方向と反対の、第２の方向におけるチャンバ部材および／または押圧部材への回転力の印加が圧縮面およびフィルタ支持面を互いに遠ざける。
【００５６】
いくつかのこのような例では、第２の方向におけるチャンバ部材および／または押圧部材への回転力の印加が、チャンバ部材および押圧部材の切り離し、ならびに除去のための凝縮された組成物へのアクセスを可能にする。
【００５７】
いくつかのこのような例では、チャンバ部材が柔軟部材をさらに含み、柔軟部材は柔軟材料を含み、圧縮面を画成する。
【００５８】
いくつかのこのような例では、柔軟材料がエラストマーを含む。
【００５９】
いくつかのこのような例では、柔軟材料がシリコーンを含む。
【００６０】
いくつかのこのような例では、柔軟材料が、ＡＳＴＭ  Ｄ２２４０、ゴム特性−デュロメータ硬さの標準試験法に従って試験されたときに、約３０〜約６０のショアＡ硬さを有する。
【００６１】
いくつかのこのような例では、圧縮面およびフィルタ支持面が実質的に平行である。
【００６２】
いくつかのこのような例では、フィルタ支持面が取り外し可能フィルタカートリッジとしてさらに画成される。いくつかのこのような例では、デバイスが、約１２〜約５００（約１．７〜約０．０２５ｍｍ）の米国ふるいシリーズメッシュサイズを有するフィルタをさらに備える。フィルタはステンレス鋼を含み得る。
【００６３】
いくつかのこのような例では、チャンバ部材が円筒形であり、外面および内面を有するチャンバ端部、ならびにチャンバ端部から長手方向に延び、外周面および内周面を有するチャンバ側壁を有する。内面が圧縮面であることができる。
【００６４】
いくつかのこのような例では、チャンバ端部が側壁に動作可能に取り付けられており、蓋として機能し、組成物へのアクセスを可能にする。
【００６５】
いくつかのこのような例では、チャンバ端部が実質的に透明である。
【００６６】
いくつかのこのような例では、チャンバ側壁が実質的に透明である。
【００６７】
いくつかのこのような例では、押圧部材が円筒形であり、外周面を有する押圧側壁を有する。
【００６８】
いくつかのこのような例では、チャンバ部材または押圧部材が、濾過液収集チャンバを画成し、複数の支持柱をその内部に含むフィルタ支持構造をさらに含み、支持構造が、フィルタを支持し、フィルタを通過する濾過液を含む濾過液の収集および除去を可能にするように構成されている。
【００６９】
いくつかのこのような例では、チャンバ部材のチャンバ側壁の内周面が、押圧部材の側壁の外周面と回転可能に係合するように形状設定されている。
【００７０】
いくつかのこのような例では、チャンバ側壁の内周面および押圧側壁の外周面が螺合している（またはねじ係合している）。
【００７１】
いくつかのこのような例では、チャンバ部材が取入ポートおよび吸引ポートを含む。
【００７２】
いくつかのこのような例では、チャンバ部材が取入ポートを含み、押圧部材が吸引ポートを含む。
【００７３】
いくつかのこのような例では、デバイスが、吸引ポートおよび空隙空間を含むシュノーケルを含み、シュノーケルが吸引ポートと流体連通しており、代替の流体連通経路を介して濾過液を圧縮面とフィルタ表面との間から除去するように構成されている。
【００７４】
いくつかのこのような例では、デバイスが、チャンバ部材と押圧部材との間に動作可能に位置付けられたｏリングを含む。
【００７５】
補足開示ＩＩ
いくつかの非限定例では、骨片を収集および処理する際に使用するための外科用システムが、
骨片を収集するように構成され、取入ホースと結合するように形状設定されている採取ツールと、
骨片を収集および処理するためのデバイスと、を備え、デバイスが、
容積を少なくとも部分的に画成するチャンバ部材と、
容積内に少なくとも部分的に配置された押圧部材と、
チャンバ部材および／または押圧部材によって画成された圧縮面と、
チャンバ部材および／または押圧部材によって画成され、フィルタを支持するように構成されたフィルタ支持面と、
チャンバ部材上および／または押圧部材上にあり、骨片を含む組成物を受け入れるように構成された取入ポートと、
チャンバ部材上および／または押圧部材上にあり、吸引源に結合されるように構成された吸引ポートと、を備え、
チャンバ部材および押圧部材が互いに回転結合されており、
組成物が取入ポートを通して獲得され、圧縮面とフィルタ支持面との間の容積内に収集され、チャンバ部材および／または押圧部材への第１の方向における回転力の印加が圧縮面およびフィルタ支持面を連帯運動させ、組成物を圧縮面とフィルタ支持面との間で圧縮し、組成物を凝縮し、濾過液を組成物からさらに除去する。
【００７６】
いくつかのこのような例では、第１の方向と反対の、第２の方向におけるチャンバ部材および／または押圧部材への回転力の印加が圧縮面およびフィルタ支持面を互いに遠ざける。
【００７７】
いくつかのこのような例では、圧縮面がエラストマーを含む。
【００７８】
いくつかのこのような例では、フィルタ支持面が取り外し可能フィルタカートリッジとしてさらに画成される。
【００７９】
例によっては、デバイスが、約１２〜約５００（約１．７〜約０．０２５ｍｍ）の米国ふるいシリーズメッシュサイズを有するフィルタをさらに備える。
【００８０】
いくつかのこのような例では、チャンバ部材が円筒形であり、外面および内面を有するチャンバ端部、ならびにチャンバ端部から長手方向に延び、外周面および内周面を有するチャンバ側壁を有し、押圧部材が円筒形であり、押圧端部、および外周面を有する押圧側壁を有する。このような例では、チャンバ側壁の内周面および押圧側壁の外周面が螺合している（またはねじ係合している）。
【００８１】
いくつかのこのような例では、チャンバ端部および／またはチャンバ壁のうちの少なくとも一方が実質的に透明である。
【００８２】
いくつかのこのような例では、チャンバ部材が取入ポートおよび吸引ポートを含む。
【００８３】
いくつかのこのような例では、デバイスが、代替の流体連通経路を介して圧縮面とフィルタ表面との間から濾過液を除去するように構成されたシュノーケルを備える。
【００８４】
いくつかのこのような例では、デバイスが、チャンバ部材と押圧部材との間に動作可能に位置付けられたｏリングを備える。
【００８５】
補足開示ＩＩＩ
いくつかの非限定例では、骨片を収集および処理する方法が、
デバイスを提供するステップであり、デバイスが、
容積を少なくとも部分的に画成するチャンバ部材と、
容積内に少なくとも部分的に配置された押圧部材と、
チャンバ部材および／または押圧部材によって画成された圧縮面と、
チャンバ部材および／または押圧部材によって画成され、フィルタを支持するように構成されたフィルタ支持面と、
チャンバ部材上および／または押圧部材上にあり、骨片を含む組成物を受け入れるように構成された取入ポートと、
チャンバ部材上および／または押圧部材上にあり、吸引源に結合されるように構成された吸引ポートと、を備え、
チャンバ部材および押圧部材が互いに回転結合されており、
組成物が取入ポートを通して獲得され、圧縮面とフィルタ支持面との間の容積内に収集され、チャンバ部材および／または押圧部材への第１の方向における回転力の印加が圧縮面およびフィルタ支持面を連帯運動させ、組成物を圧縮面とフィルタ支持面との間で圧縮し、組成物を凝縮し、濾過液を組成物からさらに除去する、デバイスを提供するステップと、
取入ポートを通して骨片を含む組成物を獲得するステップと、
組成物を圧縮面とフィルタ支持面との間に収集するステップと、
回転力をチャンバ部材および／または押圧部材に第１の方向に印加し、組成物を圧縮面とフィルタ支持面との間で押圧し、組成物を凝縮し、濾過液を組成物からさらに除去するステップと、
凝縮された組成物を除去するステップと、
を含む。
【００８６】
いくつかのこのような例では、回転力をチャンバ部材および／または押圧部材に、第１の方向と反対の、第２の方向に印加し、圧縮面およびフィルタ支持面を互いに遠ざけるステップ。
【００８７】
いくつかのこのような例では、本方法が、回転力をチャンバ部材および／または押圧部材に、第１の方向と反対の、第２の方向に印加し、チャンバ部材および押圧部材を切り離し、凝縮された組成物へのアクセスを提供するステップをさらに含む。
【００８８】
いくつかのこのような例では、本方法が、蓋を開放し、凝縮された組成物へのアクセスを提供するステップをさらに含む。
【００８９】
いくつかのこのような例では、取入ポートを通して骨片を含む組成物を獲得するステップ、および組成物を圧縮面とフィルタ支持面との間に収集するステップが、第１の向きで遂行される。
【００９０】
いくつかのこのような例では、本方法が、デバイスを第１の向きから第２の向きへ反転させるステップをさらに含む。
【００９１】
いくつかのこのような例では、本方法が、デバイスを第２の向きで支持面と接触させ、凝縮された組成物を、圧縮面上に集積するよう、フィルタから分離するステップをさらに含む。
【００９２】
いくつかのこのような例では、本方法が、回転力を押圧部材に、第１の方向と反対の、第２の方向に印加し、チャンバ部材および押圧部材を切り離し、凝縮された組成物を圧縮面から除去するステップをさらに含む。
【００９３】
いくつかのこのような例では、フィルタ支持面が、取り外し可能フィルタカートリッジとしてさらに画成され、本方法が、取り外し可能フィルタカートリッジを容積に挿入する、および／または容積から取り外すステップをさらに含む。
補足開示ＩＶ
【００９４】
いくつかの非限定例では、骨片を収集および処理するためのデバイスが、
容積を画成するよう動作可能に結合されたチャンバ部材および押圧部材と、
圧縮面を画成する柔軟部材を含み容積内に移動可能に配置されている圧縮構成要素と、
骨片を含む組成物を受け入れるように構成された取入ポートと、
吸引源に結合されるように構成された吸引ポートと、
フィルタ構成要素と、を備え、
組成物が取入ポートを通して獲得され、容積内に収集され、チャンバ部材および／または押圧部材への力の印加が容積を減少させ、組成物を圧縮面に押し付け、組成物を凝縮し、フィルタ構成要素を通して濾過液を組成物からさらに除去する。
【００９５】
いくつかのこのような例では、柔軟材料がエラストマーを含む。
【００９６】
いくつかのこのような例では、柔軟材料がシリコーンを含む。
【００９７】
いくつかのこのような例では、柔軟材料が、ＡＳＴＭ  Ｄ２２４０、ゴム特性−デュロメータ硬さの標準試験法に従って試験されたときに、約３０〜約６０のショアＡ硬さを有する。
【００９８】
いくつかのこのような例では、圧縮面およびフィルタ支持面が実質的に平行である。
【００９９】
いくつかのこのような例では、チャンバ部材および押圧部材が互いに回転結合されている。
【０１００】
いくつかのこのような例では、フィルタ支持面が取り外し可能フィルタカートリッジとしてさらに画成される。
【０１０１】
用語「含む（ｉｎｃｌｕｄｅ）」、「含む（ｉｎｃｌｕｄｅｓ）」、および「含む（ｉｎｃｌｕｄｉｎｇ）」は、用語「備える（ｃｏｍｐｒｉｓｅ）」、「備える（ｃｏｍｐｒｉｓｅｓ）」、および「備える（ｃｏｍｐｒｉｓｉｎｇ）」と同じ意味を有することが理解されるであろう。さらに、「第１」、「第２」、「第３」、および同様のものなどの用語は、本明細書において、明瞭性および一貫性を持たせる非限定的な例示の目的のために、特定の構造特徴および構成要素を区別するために使用されることが理解されるであろう。
【０１０２】
いくつかの実施例が上述の説明において説明された。しかし、本明細書において説明された実施例は、網羅的であること、または本開示をいかなる特定の形態に限定することも意図されていない。使用された専門用語は、限定ではなく説明の文言の性質のものであることが意図されている。多くの変更および変形が上述の教示を考慮して可能であり、本開示は、具体的に説明されたもの以外の仕方で実施され得る。
【図１】
2021520933.tif 000003
【図２】
2021520933.tif 000004
【図３】
2021520933.tif 000005
【図４】
2021520933.tif 000006
【図５】
2021520933.tif 000007
【図６】
2021520933.tif 000008
【図７】
2021520933.tif 000009
【図８】
2021520933.tif 000010
【図９】
2021520933.tif 000011
【図１０】
2021520933.tif 000012
【図１１】
2021520933.tif 000013
【図１２】
2021520933.tif 000014
【図１３】
2021520933.tif 000015
【図１４】
2021520933.tif 000016
【図１５】
2021520933.tif 000017
【図１６】
2021520933.tif 000018
【図１７】
2021520933.tif 000019
【図１８】
2021520933.tif 000020
【図１９】
2021520933.tif 000021
【図２０】
2021520933.tif 000022
【図２１】
2021520933.tif 000023
【手続補正書】
【提出日】令和3年1月18日(2021.1.18)
【手続補正１】
【補正対象書類名】特許請求の範囲
【補正対象項目名】全文
【補正方法】変更
【補正の内容】
【特許請求の範囲】
【請求項１】
骨片を収集および処理するためのデバイスであって、
容積を少なくとも部分的に画成するチャンバ部材と、
前記容積内に少なくとも部分的に配置された押圧部材と、
前記チャンバ部材および／または前記押圧部材によって画成された圧縮面と、
前記チャンバ部材および／または前記押圧部材によって画成され、フィルタを支持するように構成されたフィルタ支持面と、
前記チャンバ部材上および／または前記押圧部材上にあり、骨片を含む組成物を受け入れるように構成された取入ポートと、
前記チャンバ部材上および／または前記押圧部材上にあり、吸引源に結合されるように構成された吸引ポートと、を備え、
前記チャンバ部材および前記押圧部材が互いに回転結合されており、
前記組成物が前記取入ポートを通して獲得され、前記圧縮面と前記フィルタ支持面との間の前記容積内に収集され、第１の方向における前記チャンバ部材および／または前記押圧部材への回転力の印加が前記圧縮面および前記フィルタ支持面を連帯運動させ、前記組成物を前記圧縮面と前記フィルタ支持面との間で圧縮し、前記組成物を凝縮し、濾過液を前記組成物からさらに除去する、デバイス。
【請求項２】
前記第１の方向と反対の、第２の方向における前記チャンバ部材および／または前記押圧部材への回転力の印加が前記圧縮面および前記フィルタ支持面を互いに遠ざける、請求項１に記載のデバイス。
【請求項３】
前記第２の方向における前記チャンバ部材および／または前記押圧部材への回転力の印加が、前記チャンバ部材および前記押圧部材の切り離し、ならびに除去のための前記凝縮された組成物へのアクセスを可能にする、請求項２に記載のデバイス。
【請求項４】
前記チャンバ部材が柔軟部材をさらに含み、前記柔軟部材は柔軟材料を含み、前記圧縮面を画成する、請求項１から３のいずれか１項に記載のデバイス。
【請求項５】
約１．７〜約０．０２５ｍｍのメッシュサイズを有するフィルタをさらに備える、請求項１から４のいずれか１項に記載のデバイス。
【請求項６】
前記チャンバ部材が円筒形であり、外面および内面を有するチャンバ端部、ならびに前記チャンバ端部から長手方向に延び、外周面および内周面を有するチャンバ側壁を有する、請求項１から５のいずれか１項に記載のデバイス。
【請求項７】
前記内面が前記圧縮面である、請求項６に記載のデバイス。
【請求項８】
前記チャンバ端部が前記側壁に動作可能に取り付けられており、蓋として機能し、前記組成物へのアクセスを可能にする、請求項６または７に記載のデバイス。
【請求項９】
前記チャンバ部材または前記押圧部材が、濾過液収集チャンバを画成し、複数の支持柱をその内部に含むフィルタ支持構造をさらに含み、前記支持構造が、フィルタを支持し、前記フィルタを通過する濾過液を含む濾過液の収集および除去を可能にするように構成されている、請求項１から８のいずれか１項に記載のデバイス。
【請求項１０】
前記チャンバ部材のチャンバ側壁の内周面が、前記押圧部材の側壁の外周面と回転可能に係合するように形状設定されている、請求項１から９のいずれか１項に記載のデバイス。
【請求項１１】
骨片を収集および処理する際に使用するための外科用システムであって、
骨片を収集するように構成され、取入ホースと結合するように形状設定されている採取ツールと、
骨片を収集および処理するためのデバイスと、を備え、前記デバイスが、
容積を少なくとも部分的に画成するチャンバ部材と、
前記容積内に少なくとも部分的に配置された押圧部材と、
前記チャンバ部材および／または前記押圧部材によって画成された圧縮面と、
前記チャンバ部材および／または前記押圧部材によって画成され、フィルタを支持するように構成されたフィルタ支持面と、
前記チャンバ部材上および／または前記押圧部材上にあり、骨片を含む組成物を受け入れるように構成された取入ポートと、
前記チャンバ部材上および／または前記押圧部材上にあり、吸引源に結合されるように構成された吸引ポートと、を備え、
前記チャンバ部材および前記押圧部材が互いに回転結合されており、
前記組成物が前記取入ポートを通して獲得され、前記圧縮面と前記フィルタ支持面との間の前記容積内に収集され、前記チャンバ部材および／または前記押圧部材への第１の方向における回転力の印加が前記圧縮面および前記フィルタ支持面を連帯運動させ、前記組成物を前記圧縮面と前記フィルタ支持面との間で圧縮し、前記組成物を凝縮し、濾過液を前記組成物からさらに除去する、外科用システム。
【請求項１２】
前記第１の方向と反対の、第２の方向における前記チャンバ部材および／または前記押圧部材への回転力の印加が前記圧縮面および前記フィルタ支持面を互いに遠ざける、請求項１１に記載の外科用システム。
【請求項１３】
前記フィルタ支持面が取り外し可能フィルタカートリッジとしてさらに画成される、請求項１１または１２に記載の外科用システム。
【請求項１４】
骨片を収集および処理する方法であって、
デバイスを提供するステップであり、前記デバイスが、
容積を少なくとも部分的に画成するチャンバ部材と、
前記容積内に少なくとも部分的に配置された押圧部材と、
前記チャンバ部材および／または前記押圧部材によって画成された圧縮面と、
前記チャンバ部材および／または前記押圧部材によって画成され、フィルタを支持するように構成されたフィルタ支持面と、
前記チャンバ部材上および／または前記押圧部材上にあり、骨片を含む組成物を受け入れるように構成された取入ポートと、
前記チャンバ部材上および／または前記押圧部材上にあり、吸引源に結合されるように構成された吸引ポートと、を備え、
前記チャンバ部材および前記押圧部材が互いに回転結合されており、
前記組成物が前記取入ポートを通して獲得され、前記圧縮面と前記フィルタ支持面との間の前記容積内に収集され、前記チャンバ部材および／または前記押圧部材への第１の方向における回転力の印加が前記圧縮面および前記フィルタ支持面を連帯運動させ、前記組成物を前記圧縮面と前記フィルタ支持面との間で圧縮し、前記組成物を凝縮し、濾過液を前記組成物からさらに除去する、デバイスを提供するステップと、
前記取入ポートを通して骨片を含む前記組成物を獲得するステップと、
前記組成物を前記圧縮面と前記フィルタ支持面との間に収集するステップと、
回転力を前記チャンバ部材および／または前記押圧部材に第１の方向に印加し、前記組成物を前記圧縮面と前記フィルタ支持面との間で押圧し、前記組成物を凝縮し、濾過液を前記組成物からさらに除去するステップと、
前記凝縮された組成物を除去するステップと、
を含む、方法。
【請求項１５】
回転力を前記チャンバ部材および／または前記押圧部材に、前記第１の方向と反対の、第２の方向に印加し、前記チャンバ部材および前記押圧部材を切り離し、前記凝縮された組成物へのアクセスを提供するステップをさらに含む、請求項１４に記載の方法。
【請求項１６】
骨片を収集および処理するためのデバイスであって、
容積を画成するよう動作可能に結合されたチャンバ部材および押圧部材と、
圧縮面を画成する柔軟部材を含み、前記容積内に移動可能に配置されている圧縮構成要素と、
骨片を含む組成物を受け入れるように構成された取入ポートと、
吸引源に結合されるように構成された吸引ポートと、
フィルタ構成要素と、を備え、
前記組成物が前記取入ポートを通して獲得され、前記容積内に収集され、前記チャンバ部材および／または前記押圧部材への力の印加が前記容積を減少させ、前記組成物を前記圧縮面に押し付け、前記組成物を凝縮し、前記フィルタ構成要素を通して濾過液を前記組成物からさらに除去する、デバイス。
【国際調査報告】
2021520933.tif 000024
2021520933.tif 000025
2021520933.tif 000026